(57)【要約】【課題】電源装置が設置箇所から落下および転倒させられたことに起因して人が感電することを防止可能な電気柵用電源装置を提供する。【解決手段】電気柵用電源装置であって、電気柵は、裸電線４と、裸電線４を固定する支柱とを備え、農耕地の周囲に設置される。電源装置は、電源１６と、電源１６から出力された電圧を昇圧する昇圧回路１７と、昇圧回路１７によって昇圧された電圧を充放電するコンデンサ１８と、コンデンサ１８の充放電を切り替えるスイッチ１９と、スイッチ１９を制御し、コンデンサ１８を間欠的に放電させるスイッチ制御手段２０と、裸電線４に電気的に接続され、コンデンサ１８によって放電された電圧をさらに昇圧し、裸電線４に出力するトランス２１と、電源装置の振動を検出する振動センサ２２と、振動センサ２２によって検出された振動値が所定の閾値以上のとき、昇圧回路１７の駆動を停止させる昇圧回路停止手段２３と、を備える。【選択図】図３
2019146535.tif 000002
【特許請求の範囲】
【請求項１】
電気柵用電源装置であって、
前記電気柵は、裸電線と、前記裸電線を固定する支柱とを備えるとともに、農耕地または牧場の周囲に設置され、
前記電源装置は、
電源と、
前記電源から出力された電圧を昇圧する昇圧回路と、
前記昇圧回路によって昇圧された電圧を充放電するコンデンサと、
前記コンデンサの前記充放電を切り替えるスイッチと、
前記スイッチを制御し、前記コンデンサを間欠的に放電させるスイッチ制御手段と、
前記裸電線に電気的に接続され、前記コンデンサによって放電された電圧をさらに昇圧し、前記裸電線に出力するトランスと、
前記電源装置の振動を検出する振動センサと、
前記振動センサによって検出された振動値が所定の閾値以上のとき、前記昇圧回路の駆動を停止させる昇圧回路停止手段と、
を備える
ことを特徴とする電源装置。
【請求項２】
前記電源装置は、
前記トランスが出力する電圧値を検出する出力電圧検出手段と、
前記出力電圧検出手段によって検出された電圧値に応じて、前記昇圧回路の昇圧レベルを制御する昇圧レベル制御手段と、
をさらに備える
ことを特徴とする請求項１に記載の電源装置。
【請求項３】
前記昇圧レベル制御手段は、前記出力電圧検出手段によって検出された電圧値が所定の閾値よりも低いとき、前記昇圧レベルを下げ、前記昇圧レベルを下げた後に検出された電圧値が所定の閾値以上のとき、下げていた前記昇圧レベルを元の昇圧レベルに復帰させる
ことを特徴とする請求項２に記載の電源装置。
【請求項４】
前記出力電圧検出手段は、
前記トランスが出力する電圧を分圧する分圧回路と、
前記分圧回路によって分圧された電圧を検波整流する整流回路と、
前記整流回路によって検波整流された電圧のピーク値を保持し、保持しているピーク値の電圧を前記昇圧レベル制御手段に出力し、前記スイッチ制御手段が前記スイッチをオンに切り替えるタイミングで保持しているピーク値がリセットされるピークホールド回路と、
を有する
ことを特徴とする請求項３に記載の電源装置。
【請求項５】
前記昇圧回路の前記駆動は、前記昇圧回路停止手段によって停止させられた後、前記停止を解除させる所定の入力がなされたとき、再開される
ことを特徴とする請求項１〜４のいずれか１項に記載の電源装置。
【請求項６】
前記電源装置を操作する少なくとも１つの入力手段をさらに備え、
前記振動センサは、圧電素子であって、前記入力手段によって入力がなされたとき、ブザー音を発するブザーとしても用いられる
ことを特徴とする請求項１〜５のいずれか１項に記載の電源装置。
【請求項７】
前記トランスの１次側巻線のグランド側に直列に接続されたチョークコイルをさらに備え、
前記チョークコイルは、前記チョークコイルが接続されていないときよりも、前記トランスが出力する電圧のパルス幅を拡げる
ことを特徴とする請求項１〜６のいずれか１項に記載の電源装置。
【発明の詳細な説明】
【技術分野】
【０００１】
本発明は、農耕地、牧場等の周囲に設置される電気柵用電源装置に関する。
【背景技術】
【０００２】
古くから、野生動物によって農耕地が荒らされる被害が問題となっている。この問題の対策の一つとして、電気柵が用いられてきた（例えば、特許文献１参照）。この種の電気柵は、裸電線と、支柱と、電源装置とを備える。支柱は、一定の間隔をおいて農耕地の周囲に立設され、裸電線は、農耕地を囲むように支柱に固定される。電源装置は、設置柱に固定されるとともに裸電線に電気的に接続される。そして、電源装置は、高圧電流を所定の間隔をおいて短時間ずつ裸電線に流す。これにより、野生動物は、裸電線に接触すると感電し、感電したショックにより裸電線を恐れるようになり、農耕地に近づかなくなる。電気柵は、平地だけでなく、山および丘の斜面に設置されることもある。また、このような電気柵は、牧場でも設置され、牧場内の家畜が牧場外へ出ることを防止するために用いられている。
【０００３】
ところで、電源装置は、例えば、地震、台風による突風および動物による体当たりといった衝撃によって設置柱から落下させられたり、大雨による地面のぬかるみによって設置柱ごと倒れたり、鉄砲水によって設置柱ごと倒されたりすることがある。また、電源装置は、設置柱に設置されるだけでなくブロックや石といった載置台の上に載置されていることもあり、この場合、地震等によって載置台から落下させられたり、鉄砲水によって流されたりすることがある。これらの結果、電源装置は、地面の水たまりに浸かったり、斜面を転がり農業用水に浸かったりすることがある。一方、裸電線は、上述の電源装置の落下および移動により電源装置に引っ張られて支柱から外され、その一部が地面に接触したり、水たまりおよび農業用水に浸かったりすることがある。これらの場合、人が、電源装置、裸電線、水たまりおよび農業用水に接触し、感電する危険性がある。また、このような感電により驚いた人が転倒して大けがをする危険性もある。
【先行技術文献】
【特許文献】
【０００４】
【特許文献１】特開２０１２−８５６１２
【発明の概要】
【発明が解決しようとする課題】
【０００５】
そこで、本発明は、電気柵用電源装置であって、当該電源装置が天災等によって設置箇所から落下および転倒させられたことに起因して、人が感電することを防止することができる電気柵用電源装置を提供することを課題とする。
【課題を解決するための手段】
【０００６】
上記課題を解決するために、本発明に係る電気柵用電源装置は、
電気柵が、裸電線と、裸電線を固定する支柱とを備えるとともに、農耕地または牧場の周囲に設置され、
電源装置が、
電源と、
電源から出力された電圧を昇圧する昇圧回路と、
昇圧回路によって昇圧された電圧を充放電するコンデンサと、
コンデンサの充放電を切り替えるスイッチと、
スイッチを制御し、コンデンサを間欠的に放電させるスイッチ制御手段と、
裸電線に電気的に接続され、コンデンサによって放電された電圧をさらに昇圧し、裸電線に出力するトランスと、
電源装置の振動を検出する振動センサと、
振動センサによって検出された振動値が所定の閾値以上のとき、昇圧回路の駆動を停止させる昇圧回路停止手段と、を備えることを特徴とする。
【０００７】
上記電源装置は、
好ましくは、
トランスが出力する電圧値を検出する出力電圧検出手段と、
出力電圧検出手段によって検出された電圧値に応じて、昇圧回路の昇圧レベルを制御する昇圧レベル制御手段と、をさらに備える。
【０００８】
上記電源装置は、
好ましくは、
昇圧レベル制御手段が、出力電圧検出手段によって検出された電圧値が所定の閾値よりも低いとき、昇圧レベルを下げ、昇圧レベルを下げた後に検出された電圧値が所定の閾値以上のとき、下げていた昇圧レベルを元の昇圧レベルに復帰させる。
【０００９】
上記電源装置は、
具体的には、
出力電圧検出手段が、
トランスが出力する電圧を分圧する分圧回路と、
分圧回路によって分圧された電圧を検波整流する整流回路と、
整流回路によって検波整流された電圧のピーク値を保持し、保持しているピーク値の電圧を昇圧レベル制御手段に出力し、スイッチ制御手段がスイッチをオンに切り替えるタイミングで保持しているピーク値がリセットされるピークホールド回路と、を有する。
【００１０】
上記電源装置は、
好ましくは、
昇圧回路の駆動が、昇圧回路停止手段によって停止させられた後、停止を解除させる所定の入力がなされたとき、再開される。
【００１１】
上記電源装置は、
好ましくは、
電源装置を操作する少なくとも１つの入力手段をさらに備え、
振動センサが、圧電素子であって、入力手段によって入力がなされたとき、ブザー音を発するブザーとしても用いられる。
【００１２】
上記電源装置は、
好ましくは、
トランスの１次側巻線のグランド側に直列に接続されたチョークコイルをさらに備え、
チョークコイルが、チョークコイルが接続されていないときよりも、トランスが出力する電圧のパルス幅を拡げる。
【発明の効果】
【００１３】
本発明によれば、電気柵用電源装置であって、当該電源装置が天災等によって設置箇所から落下および転倒させられたことに起因して、人が感電することを防止することができる電気柵用電源装置を提供することができる。
【図面の簡単な説明】
【００１４】
【図１】本発明に係る電気柵用電源装置が用いられる電気柵の概要図である。
【図２】図１の電気柵用電源装置の拡大図である。
【図３】図１の電気柵用電源装置の機能ブロック図である。
【図４】図３の昇圧回路および昇圧回路停止手段の機能ブロック図である。
【図５】チョークコイルの接続位置を示す回路図である。
【図６】（ａ）は、チョークコイルを接続していない場合の出力電圧の波形を示すグラフであり、（ｂ）は、チョークコイルを接続している場合の出力電圧の波形を示すグラフである。
【図７】本発明に係る振動センサ（ブザー）の動作を示す回路図である。
【図８】図３の出力電圧検出手段および昇圧レベル制御手段の機能ブロック図である。
【発明を実施するための形態】
【００１５】
以下、添付図面を参照しつつ、本発明に係る電気柵用電源装置の一実施例について説明する。
【００１６】
図１は、本発明の電気柵用電源装置１（以下「電源装置１」という）が用いられる電気柵の概要を示す図である。電気柵は、支柱３と、裸電線４とを備える。支柱３は、農耕地の周囲に間隔をおいて立設される。裸電線４は、農耕地を囲むように支柱３に碍子（図示しない）を介して固定される。電源装置１は、電気柵の近くに立設された設置柱５にブラケット（図示しない）を介して設置される。電源装置１は、複数の動作モード（本実施例では４つ）を有し、各動作モードに応じて、裸電線４に間欠的に電圧を出力するように構成される。
【００１７】
電源装置１は、制御手段収納容器１０と、電源収納容器１１とを備え、制御手段収納容器１０の外面に、出力端子１２と、アース端子１３とを備える。
【００１８】
出力端子１２は、出力線６を介して裸電線４に接続される。アース端子１３は、アース線７と、アース線７の一端に接続されたアース棒８とを介して接地される。
【００１９】
図２を参照して、電源装置１は、制御手段収納容器１０の外面に、光センサ１４と、入力手段１５とをさらに備える。
【００２０】
光センサ１４は、受光量に応じて現在が昼か夜かを判定し、その判定結果を後に説明するロジック制御回路１７０（図４）に出力する。
【００２１】
入力手段１５は、電源装置１を操作するために用いられる。入力手段１５は、停止ボタン１５０、連続動作ボタン１５１、昼動作ボタン１５２および夜動作ボタン１５３を有する。入力手段１５のボタン１５０、１５１、１５２、１５３のうちのいずれかが押されることにより、押されたボタンに対応する動作モードがロジック制御回路１７０（図４）に入力される。
【００２２】
制御手段収納容器１０は、出力ランプ１００と、動作表示ＬＥＤ１０１と、電源入力端子１０２とを有する。
【００２３】
出力ランプ１００は、電源装置１が裸電線４に電圧を出力するたびに点灯する。野生動物の多くは、２色型色覚を有しており、３色型色覚を有する人と同じ色を認識することができない。したがって、出力ランプ１００の色は、当該野生動物が認識できない赤色等ではなく、当該野生動物が認識することができる青色に設定される。
【００２４】
これにより、野生動物は、裸電線４に触れて感電すると、裸電線４に対して警戒するだけでなく、感電した際に傍らで点滅していた青色の光に対しても警戒するようになる。
【００２５】
動作表示ＬＥＤ１０１は、入力手段１５の各ボタンの上に配置されており、動作表示ＬＥＤ１０１のうち、現在の動作モードに対応するＬＥＤが点灯する。
【００２６】
電源入力端子１０２は、例えば、自動車のバッテリーといった外部電源を電源装置１の電源１６として利用する場合に、その外部電源と電源装置１とを接続する接続端子である。
【００２７】
図３を参照して、電源装置１は、電源１６と、昇圧回路１７と、コンデンサ１８と、スイッチ１９と、スイッチ制御手段２０と、トランス２１と、振動センサ２２と、昇圧回路停止手段２３と、出力電圧検出手段２４と、昇圧レベル制御手段２５とをさらに備える。
【００２８】
電源１６は、電源収納容器１１に収納される。電源１６は、本実施例では、電池であり、１２Ｖの直流電圧を出力する。
【００２９】
昇圧回路１７は、電源１６から出力された電圧（以下、「電源電圧」という）を所定の値まで昇圧する。昇圧回路１７は、本実施例では、電源電圧を約４００Ｖまで昇圧する。
【００３０】
コンデンサ１８は、昇圧回路１７によって昇圧された電圧を充放電する。
【００３１】
スイッチ１９は、コンデンサ１８の充放電を切り替える。具体的には、スイッチ１９がオフの間は、コンデンサ１８は充電しており、スイッチ１９がオンに切り替えられると、コンデンサ１８は放電する。
【００３２】
スイッチ制御手段２０は、スイッチ１９を制御することにより、コンデンサ１８を間欠的に放電させる。具体的には、スイッチ制御手段２０は、所定のタイミングごとにスイッチ１９をオフからオンに切り替えることにより、コンデンサ１８を所定のタイミングごとに放電させる。所定のタイミングは、本実施例では、１．２秒である。
【００３３】
トランス２１は、その２次側が出力端子１２を介して裸電線４に電気的に接続されている。トランス２１は、コンデンサ１８によって放電された電圧をさらに昇圧するとともに、昇圧した電圧を裸電線４に出力する。トランス２１は、本実施例では、負荷５ｋΩにおいて約５，０００Ｖまで昇圧する。トランス２１は、トランス２１の電圧を出力するタイミングとコンデンサ１８の放電するタイミングとが連動していることから、約１．２秒ごとに裸電線４に電圧を出力する。
【００３４】
これにより、野生動物は、裸電線４に触れると感電し、感電によるショックから裸電線４を恐れ農耕地に近づかなくなる。また、上述したとおり、野生動物は、裸電線４に触れて感電すると、感電した際に裸電線４の傍で点滅していた出力ランプ１００の光も警戒するようになる。これにより、電源装置１は、裸電線４が与える電気ショックと、出力ランプ１００の点滅による光刺激との相乗効果により、野生動物に対する忌避効果を高めることができる。
【００３５】
図４を参照して、昇圧回路１７は、ロジック制御回路１７０、発振回路１７１と、倍電圧整流回路１７２とを有する。
【００３６】
ロジック制御回路１７０は、入力手段１５によって入力された動作モードに応じて、発振回路１７１を制御する。ロジック制御回路１７０は、例えば、昼動作ボタン１５２が押されると、光センサ１４によって昼と判定されている間は、発振回路１７１を駆動させ、光センサ１４によって夜と判定されている間は、発振回路１７１を停止させる。また、ロジック制御回路１７０は、停止ボタン１５０が押されると、発振回路１７１の駆動を停止させる。
【００３７】
発振回路１７１は、電源電圧から約２００Ｖの交流電圧を生成する。
【００３８】
倍電圧整流回路１７２は、発振回路１７１が生成した交流電圧から、約４００Ｖの直流電圧を生成する。
【００３９】
図５を参照して、本実施例では、スイッチ１９は、サイリスタ１９０によって構成され、スイッチ制御手段２０は、パルス発生回路２００によって構成される。
【００４０】
パルス発生回路２００は、１．２秒ごとに、パルス電圧を生成するとともに、生成したパルス電圧をサイリスタ１９０のゲートに出力し、サイリスタ１９０をオンにさせる。
【００４１】
サイリスタ１９０がオンになると、サイリスタ１９０のアノード、カソード間が導通する。コンデンサ１８は、サイリスタ１９０のアノード、カソード間が導通するたび（すなわち、１．２秒ごと）に放電する。
【００４２】
電源装置１は、本実施例では、チョークコイル２７をさらに備える。チョークコイル２７は、トランス２１の１次側巻線のグランド側に直列に接続される。
【００４３】
図６（ａ）、（ｂ）は、トランス２１の出力電圧を４，０００Ｖに設定した場合の出力電圧の波形が表示されたグラフである。図６（ａ）は、チョークコイル２７が接続されていない場合の出力電圧の波形を示し、図６（ｂ）は、１ｍＨのチョークコイル２７が接続されている場合の出力電圧の波形を示す。それぞれのグラフのパルス幅Ｗ１、Ｗ２が示すとおり、チョークコイル２７が接続されることにより、出力電圧の１／２波高値である２，０００Ｖのパルス幅が４３μｓから６０μｓへと拡げられる。具体的には、チョークコイル２７が接続されている場合、コンデンサ１８が放電した電圧がトランス２１の１次側巻線に印加され、トランス２１の２次側巻線にパルス状の電圧が誘電されるとき、チョークコイル２７が生成するフライバック電圧が１次側巻線にさらに印加されることにより、電源装置１の消費電流を上昇させずに、チョークコイル２７が接続されていないときよりもパルス幅の拡がったパルス状の電圧が２次側巻線に誘電される。
【００４４】
これにより、電源装置１は、パルス幅がより拡げられた電圧を裸電線４に出力することができ、その結果、裸電線４に接触した野生動物に対して、チョークコイル２７が接続されていないときよりも大きな電気ショックを与えることができる。
【００４５】
従来の電源装置では、出力電圧のパルス幅を拡げるには、例えば、昇圧回路１７の昇圧レベルを上げ、コンデンサ１８の容量を増やし、トランス２１の２次側巻線を太くするとともにその巻線数を増やす必要があった。この場合、従来の電源装置では、その製造コストが増えるだけでなく、消費電流が増え、電圧の変換効率が悪化するといった問題があった。本実施例の電源装置１によれば、チョークコイル２７を接続することにより、製造コストをおさえつつ、電圧の変換効率を向上させるとともに出力電圧のパルス幅を拡げることができる。
【００４６】
次に、電源装置１が地震等によって落下等した場合の電源装置１の安全対策について説明する。
【００４７】
再び図３を参照して、振動センサ２２は、電源装置１の振動を検出する。振動には、例えば、地震による急激な揺れ、台風による突風、動物の体当たりおよび鉄砲水による衝撃といった要因がある。
【００４８】
昇圧回路停止手段２３は、振動センサ２２によって所定の閾値以上の振動値が検出されたとき、昇圧回路１７の駆動を停止させる。
【００４９】
これにより、電源装置１は、地震等の衝撃により振動させられると、裸電線４への電圧の出力を停止するので、電源装置１が当該衝撃により設置柱５から落下させられ水たまり等に浸かったり、裸電線４が電源装置１の落下等により支柱３から外され水たまり等に浸かったりした場合に、人が、電源装置１、裸電線４、水たまり等に接触し、感電することを防止することができる。
【００５０】
図４を参照して、昇圧回路停止手段２３は、アンプ２３０と、ラッチ回路２３１と、停止回路２３２とを有する。
【００５１】
振動センサ２２は、本実施例では、圧電素子２２０である。圧電素子２２０は、振動を与えられると、圧電効果により振動を電圧に変換しアンプ２３０に出力する。
【００５２】
アンプ２３０は、圧電素子２２０によって出力された電圧を増幅する。ラッチ回路２３１は、アンプ２３０によって増幅された電圧が所定の大きさ以上のとき、昇圧回路１７の駆動を停止させるための電気信号を停止回路２３２に出力する。停止回路２３２は、ラッチ回路２３１から電気信号が出力されると、発振回路１７１の駆動を停止させる。これにより、電源装置１から裸電線４への電圧の出力が停止する。ラッチ回路２３１は、発振回路１７１の駆動の停止後も停止回路２３２へ電気信号を継続して出力し、停止回路２３２に発振回路１７１の駆動の停止を継続させる。
【００５３】
昇圧回路１７の駆動は、昇圧回路停止手段２３によって停止させられた後、この停止を解除させる所定の入力がなされたとき、再開される。具体的には、ラッチ回路２３１は、昇圧回路１７の駆動の停止を解除させる所定の入力がなされると、停止回路２３２への電気信号の出力を停止し、停止回路２３２に発振回路１７１の駆動の停止を解除させる。これにより、昇圧回路１７の駆動が再開される。
【００５４】
したがって、電源装置１は、所定の入力がなされない限り裸電線４への電圧の出力を再開しないので、昇圧回路停止手段２３によって昇圧回路１７の駆動が停止させられた後において、人が通常の操作により電源装置１を再起動することによって感電することを防止することができる。
【００５５】
発振回路１７１の駆動の停止を解除させる所定の入力は、本実施例では、停止ボタン１５０が押されることによりなされる。
【００５６】
次に、振動センサ２２の具体的構成について説明する。振動センサ２２は、本実施例では、圧電素子２２０である。圧電素子２２０は、従来、電気柵用電源装置において入力手段１５が押されたときに音を発するブザーとして利用されており、電源装置１は、圧電素子２２０をブザーとして利用することができる従来の構成を残しつつ、圧電素子２２０を振動センサ２２として利用することができる構成を備える。
【００５７】
これにより、電源装置１は、電源装置１が地震等によって落下等することに起因して人が感電することを防止する機能を有するために、別個に振動センサ２２を備える必要がない。したがって、電源装置１は、コストを抑えつつ当該感電を防止する機能を有することができる。
【００５８】
図７を参照して、電源装置１は、トランジスタ２６ａ、２６ｂをさらに備える。トランジスタ２６ａは、入力手段１５のボタン１５０、１５１、１５２、１５３のうちのいずれかが押されると、入力電圧Ｖｉｎからの電圧がベースに印加されオンになる。これにより、圧電素子２２０は、電源電圧Ｖｃｃからの電圧が印加されブザー音を発する。このとき、トランジスタ２６ｂも、入力電圧Ｖｉｎからの電圧がベースに印加されることによってオンになっている。これにより、電源電圧Ｖｃｃからの電圧がアンプ２３０に印加されない。
【００５９】
一方、圧電素子２２０は、振動を与えられると、圧電効果により振動を電圧に変換する。このとき、トランジスタ２６ａ、２６ｂがオフであることから、圧電素子２２０によって変換された電圧がアンプ２３０に印加される。アンプ２３０は、この電圧を増幅し、ラッチ回路２３１に出力する。
【００６０】
電源装置１は、図７に示す回路によれば、圧電素子２２０をブザー２２および振動センサ２２として利用することができる。
【００６１】
次に、人が裸電線４に接触した場合の電源装置１の安全対策について説明する。
【００６２】
再び図３を参照して、出力電圧検出手段２４は、トランス２１が出力する出力電圧を検出する。
【００６３】
昇圧レベル制御手段２５は、出力電圧検出手段２４によって検出された出力電圧の値に基づいて、昇圧回路１７の昇圧レベルを制御する。出力電圧検出手段２４によって検出される電圧値は、人が裸電線４に接触して感電すると、低下する。すわなち、昇圧レベル制御手段２５は、検出された電圧値が所定の閾値よりも低いとき、人が感電していると判定し、昇圧回路１７を制御して昇圧レベルを下げる。このとき、昇圧レベル制御手段２５は、例えば、裸電線４に接触し感電した人が痛みを感じない程度の出力電圧になるまで昇圧レベルを下げることが好ましい。
【００６４】
これにより、電源装置１は、裸電線４に人が接触し感電した場合には、通常の出力電圧を連続して裸電線４に出力することがない。したがって、電源装置１は、裸電線４に倒れ込んだ人が、裸電線４から離脱するまでの間、通常の出力電圧を連続して印加されることを防止することができる。また、電源装置１は、昇圧レベルを下げて痛みを感じない程度まで出力電圧を下げることにより、裸電線４に倒れ込んだ人が裸電線４から離脱しようとしてあわてて転ぶことを防止することができる。
【００６５】
また、昇圧レベル制御手段２５は、昇圧レベルを下げた後に検出された電圧値が所定の閾値以上のとき、下げていた昇圧レベルを元の昇圧レベルに復帰させる。
【００６６】
これにより、電源装置１は、裸電線４に接触した人が裸電線４から離脱すると、元どおり野生動物に対して忌避効果を発揮することができる。
【００６７】
図８を参照して、出力電圧検出手段２４は、分圧回路２４０と、整流回路２４１と、ピークホールド回路２４２とを有する。
【００６８】
分圧回路２４０は、トランス２１が出力する電圧を分圧する。
【００６９】
整流回路２４１は、分圧回路２４０によって分圧された電圧を検波整流する。
【００７０】
ピークホールド回路２４２は、整流回路２４１によって検波整流された電圧のピーク値を保持し、保持しているピーク値の電圧（以下、「ピーク電圧Ｖｐ」という）を昇圧レベル制御手段２５に出力する。ピーク電圧Ｖｐは、スイッチ制御手段２０がスイッチ１９をオンに切り替えるタイミング（本実施例では、１．２秒ごと）でリセットされる。すなわち、パルス発生回路２００がサイリスタ１９０のベースにパルス電圧を出力するタイミングと同じタイミングでピークホールド回路２４２にパルス電圧を出力することにより、サイリスタ１９０がオンにされるタイミングと同じタイミングで、ピーク電圧Ｖｐがリセットされる。
【００７１】
昇圧レベル制御手段２５は、コンパレータ２５０と、昇圧レベル低下回路２５１とを有する。
【００７２】
コンパレータ２５０は、ピークホールド回路２４２によって出力されたピーク電圧Ｖｐと所定の基準電圧Ｖｒｅｆとを比較し、ピーク電圧Ｖｐが基準電圧Ｖｒｅｆよりも低いか否かを判定する。基準電圧Ｖｒｅｆは、人が裸電線４に接触したときのピーク電圧Ｖｐよりも高い電圧値（Ｖｒｅｆ＞Ｖｐ）に設定されている。
【００７３】
昇圧レベル低下回路２５１は、コンパレータ２５０によってピーク電圧Ｖｐが基準電圧Ｖｒｅｆよりも低い（すなわち、Ｖｒｅｆ＞Ｖｐ）と判定されると、発振回路１７１を制御して昇圧レベルを下げる。
【００７４】
また、昇圧レベル低下回路２５１は、コンパレータ２５０によってピーク電圧Ｖｐが基準電圧Ｖｒｅｆ以上（すなわち、Ｖｒｅｆ≦Ｖｐ）であると判定されたとき、昇圧レベルを下げていた場合は、昇圧レベルを元のレベルに復帰させる。昇圧レベル低下回路２５１は、本実施例では、ピーク電圧Ｖｐが１．２秒ごとにリセットされるので、１．２秒ごとに昇圧レベルを下げるか、復帰させるか、または維持させることとなる。
【００７５】
以上より、電源装置１は、１．２秒ごとに裸電線４に高電圧を出力することができる。これにより、野生動物は、裸電線４に触れると感電し、感電によるショックから裸電線４を恐れ農耕地に近づかなくなる。
【００７６】
昇圧回路停止手段２３は、地震等により電源装置１が所定以上の振動をさせられると、昇圧回路１７の駆動を停止させる。これにより、電源装置１は、電源装置１が地震等により落下および転倒させられたことに起因して人が感電することを防止することができる。
【００７７】
昇圧レベル制御手段２５は、ピーク電圧Ｖｐが基準電圧Ｖｒｅｆよりも低下すると、昇圧回路１７を制御して昇圧レベルを下げる。これにより、電源装置１は、人が裸電線４に倒れ込んだとき、連続して高電圧が人に印加されることを防止することができる。また、昇圧レベル制御手段２５は、ピーク電圧Ｖｐが基準電圧Ｖｒｅｆ以上であれば、昇圧レベルを元のレベルに復帰させる。これにより、電源装置１は、裸電線４に倒れ込んだ人が裸電線４から離脱すると、元どおり野生動物に対して忌避効果を発揮することができる。
【００７８】
昇圧回路１７の駆動は、昇圧回路停止手段２３によって停止させられた後、所定の入力がなされたときに再開される。これにより、電源装置１は、人が通常の操作により電源装置１を再起動し感電することを防止することができる。
【００７９】
電源装置１は、従来ブザーとして利用されてきた圧電素子２２０を、振動センサ２２としても利用する。これにより、電源装置１は、コストを抑えつつ、電源装置１が地震等によって落下等することから起因して人が感電することを防止する機能を有することができる。
【００８０】
電源装置１は、トランス２１の１次側巻線のグランド側にチョークコイル２７が直列に接続されることにより、消費電流を上昇させずに、チョークコイル２７が接続されていないときよりもトランス２１が出力する電圧のパルス幅を拡げることができる。これにより、電源装置１は、製造コストをおさえつつ、野生動物に対してより大きな電気ショックを与えることができる。
【００８１】
以上、本発明に係る電源装置１の好ましい実施例について説明したが、本発明は、上記実施例に限定されるものではない。
【００８２】
［変形例］
電気柵は、農耕地だけでなく、例えば、牧場に設置されてもよい。また、電源装置１は、設置柱５に設置されるだけでなく、例えば、ブロックおよび石のような載置台の上に載置されてもよい。
【００８３】
昇圧レベル制御手段２５が昇圧回路１７を制御し昇圧レベルを下げる際の昇圧レベルの下げ幅は、例えば、出力電圧を１０分の１、あるいは１００分の１に下げるものであってもよく、特に限定されない。
【００８４】
スイッチ制御手段２０がスイッチ１９をオンに切り替える所定のタイミングは、野生動物を忌避するのに有効なタイミングであれば、特に限定されない。
【００８５】
昇圧回路１７の駆動の停止を解除させる所定の入力は、例えば、入力手段１５のボタン１５０、１５１、１５２、１５３のうちのいずれかを同時押しするか、または所定の時間押し続けるものであってもよく、特に限定されない。
【００８６】
電源１６は、ソーラーバッテリー（例えば、鉛電池）でもよく、特に限定されない。この場合、ソーラーバッテリーは、電源収納容器１１に収納され、電源入力端子１０２を介してソーラーパネルに接続されることにより充電されてもよい。
【００８７】
スイッチ１９は、オン／オフすることによりコンデンサ１８の充放電を切り替えることができれば、特に限定されない。
【００８８】
圧電素子２２０は、例えば、圧電セラミックスでもよく、特に限定されない。
【００８９】
分圧回路２４０と整流回路２４１とは、フォトカプラによって絶縁されていてもよい。これにより、裸電線４に落雷があった場合に、落雷による電流が電源装置１に流れることを防止することができる。
【符号の説明】
【００９０】
１  電源装置
３  支柱
４  裸電線
５  設置柱
６  出力線
７  アース線
８  アース棒
１０  制御手段収納容器
１００  出力ランプ
１０１  動作表示ＬＥＤ
１０２  電源入力端子
１１  電源収納容器
１２  出力端子
１３  アース端子
１４  光センサ
１５  入力手段
１５０  停止ボタン
１５１  連続動作ボタン
１５２  昼動作ボタン
１５３  夜動作ボタン
１６  電源
１７  昇圧回路
１７０  ロジック制御回路
１７１  発振回路
１７２  倍電圧整流回路
１８  コンデンサ
１９  スイッチ
１９０  サイリスタ
２０  スイッチ制御手段
２００  パルス発生回路
２１  トランス
２２  振動センサ（ブザー）
２３  昇圧回路停止手段
２３０  アンプ
２３１  ラッチ回路
２３２  停止回路
２４  出力電圧検出手段
２４０  分圧回路
２４１  整流回路
２４２  ピークホールド回路
２５  昇圧レベル制御手段
２５０  コンパレータ
２５１  昇圧レベル低下回路
２６ａ、２６ｂ  トランジスタ
２７  チョークコイル
Ｗ１、Ｗ２  パルス幅
【図１】
2019146535.tif 000003
【図２】
2019146535.tif 000004
【図３】
2019146535.tif 000005
【図４】
2019146535.tif 000006
【図５】
2019146535.tif 000007
【図６】
2019146535.tif 000008
【図７】
2019146535.tif 000009
【図８】
2019146535.tif 000010